(57)【要約】【課題】フィット感に優れた紐靴１の提供。【解決手段】紐靴１は、アッパー３、紐５及びソール７を備えている。ソール７は、ミッドソール９とアウトソール１１とからなる。アッパー３は、左右のフラップ１３とベロ１５とを備えている。各フラップ１３には、５個ずつの鳩目１７が装着されている。鳩目１７によって、掛止手段としての低位置孔１９が形成されている。低位置孔９には、紐５が通されている。低位置孔１９とソール７との距離Ｘの全長Ｙに対する比率は、１５％以下である。低位置孔１９の数は、２個以上１８個以下である。前端Ｐからの長さ方向距離が全長Ｙの１５％以上６０％以下である領域における低位置孔１９の数は、１個以上１２個以下である。前端Ｐからの長さ方向距離が全長Ｙの１５％未満である領域における低位置孔１９の数は、１個以上６個以下である。【選択図】　図１
2004033578.tif 000002
【特許請求の範囲】
【請求項１】
ソールと、アッパーと、紐とを備えており、このアッパーに紐が掛けられるための掛止手段が形成されており、この掛止手段とソールとの距離Ｘの全長Ｙに対する比率が１５％以下である紐靴。
【請求項２】
上記ソールとの距離Ｘの全長Ｙに対する比率が１５％以下である掛止手段の数が２個以上１８個以下である請求項１に記載の紐靴。
【請求項３】
前端からの長さ方向距離が全長Ｙの１５％以上６０％以下である領域に形成され、かつ、ソールとの距離Ｘの全長Ｙに対する比率が１５％以下である掛止手段の数が１個以上１２個以下である請求項１又は請求項２に記載の紐靴。
【請求項４】
前端からの長さ方向距離が全長Ｙの１５％未満である領域に形成され、かつ、ソールとの距離Ｘの全長Ｙに対する比率が１５％以下である掛止手段の数が１個以上６個以下である請求項１から請求項３のいずれか１項に記載の紐靴。
【発明の詳細な説明】
【０００１】
【発明の属する技術分野】
本発明は、テニス、ゴルフ、サッカー、ジョギング、トレッキング、ウォーキング等に適した紐靴に関するものである。
【０００２】
【従来の技術】
靴の重要な要求特性として、フィット感が挙げられる。フィット感向上の目的で、種々の工夫が提案されている（特開２０００−２１０１０１公報及び特開２００１−４６１０３公報参照）。
【０００３】
紐靴５１では、図９及び図１０に示されるように、アッパー５３に多数の孔５５（紐穴）が設けられている。この孔５５には、紐５７が通される。紐５７は孔５５で折り返され、孔５５に掛止される。この紐５７が締められることでアッパー５３が内側向きに移動し、足の甲を締め付ける。これにより、着用者はフィット感を得ることができる。孔５５に代えてフックが設けられ、このフックに紐５７が係止される場合もある。孔５５に代えてリングが設けられ、このリングに紐５７が係止される場合もある。
【０００４】
【発明が解決しようとする課題】
靴５１の構造の容易の観点及び紐５７の通しやすさの観点から、孔５５はアッパー５３の頂上近傍に設けられている。従って、紐５７が甲を直接締め付けることはない。甲の締め付けは、アッパー５３を介してなされる。アッパー５３は甲と広面積で接触しており、甲の前面を包み込む。このことは、通常の靴（例えば室内用靴）では好ましいことである。
【０００５】
スポーツや歩行のように足が激しく動く用途では、アッパー５３による締め付けのみでは十分なフィット感は得られない。
【０００６】
本発明はこのような問題に鑑みてなされたものであり、フィット感に優れた紐靴の提供をその目的とするものである。
【０００７】
【課題を解決するための手段】
本発明に係る紐靴は、ソールと、アッパーと、紐とを備えている。このアッパーには、紐が掛けられるための掛止手段が形成されている。この掛止手段とソールとの距離Ｘの全長Ｙに対する比率は、１５％以下である。この紐靴では、紐が甲を締め付けるので、優れたフィット感が得られる。
【０００８】
好ましくは、ソールとの距離Ｘの全長Ｙに対する比率が１５％以下である掛止手段の数は、２個以上１８個以下である。この紐靴では、極めて優れたフィット感が達成される。
【０００９】
好ましくは、前端からの長さ方向距離が全長Ｙの１５％以上６０％以下である領域に形成され、かつ、ソールとの距離Ｘの全長Ｙに対する比率が１５％以下である掛止手段の数は、１個以上１２個以下である。この紐靴では、極めて優れたフィット感が達成される。
【００１０】
好ましくは、前端からの長さ方向距離が全長Ｙの１５％未満である領域に形成され、かつ、ソールとの距離Ｘの全長Ｙに対する比率が１５％以下である掛止手段の数は、１個以上６個以下である。この紐靴では、甲のうち爪先寄りが紐で締め付けられる。
【００１１】
【発明の実施の形態】
以下、適宜図面が参照されつつ、好ましい実施形態に基づいて本発明が詳細に説明される。
【００１２】
図１は本発明の一実施形態にかかる紐靴１が示された正面図であり、図２はその平面図である。この紐靴１は、アッパー３、紐５及びソール７を備えている。ソール７は、ミッドソール９とアウトソール１１とからなる。アウトソール１１は、接地面を構成する。ミッドソール９の材質、形状、寸法等は、既知の靴のミッドソールと同等である。アウトソール１１の材質、形状、寸法等は、既知の靴のアウトソールと同等である。図１において符号Ｅで示されている実線は、ミッドソール９のエッジラインである。図２において両矢印Ｙで示されているのは、紐靴１の全長である。全長Ｙは、鉛直平行光により紐靴１が置かれた水平面に対して紐靴１が投影されて得られる形状の輪郭内に画かれうる線分の中で最長の線分の長さである。
【００１３】
アッパー３は、皮革、合成皮革、布等からなる。アッパー３は、左右のフラップ１３とベロ１５とを備えている。各フラップ１３には、５個ずつの鳩目１７が装着されている。鳩目１７は通常、金属からなる。鳩目１７は、爪先側から踵側に向かって並んでいる。鳩目１７によって、掛止手段としての孔１９が形成されている。孔１９には、紐５が通されている。紐５は孔１９で折り返されている。換言すれば、紐５はそれぞれの孔１９に掛止されている。紐５が締められることにより、孔１９が上方へと引っ張られる。
【００１４】
図３は、図２のＩＩＩ−ＩＩＩ線に沿った断面の一部が示された拡大図である。この図では、紐５は図示が省略されている。この図３において符号２１で示されているのは、インソール２１である。この図３において両矢印Ｘで示されているのは、孔１９とソール７との距離である。この距離Ｘは、ソール７のエッジラインＥと孔１９の上端との距離である。図３の例では、鳩目１７の内周面の上端が孔１９の上端である。ソール７のエッジラインＥの高さが部位によって異なる場合は、孔１９の直下のエッジラインＥからの距離が測定される。フラップ１３は、湾曲している。距離Ｘの測定は、フラップ１３の外面（すなわち曲面）に沿って行われる。
【００１５】
距離Ｘの全長Ｙに対する比率が１５％以下となる位置に孔１９が形成されれば、足の甲のうち紐５の直下に位置する部分が多くなり、好ましいフィット感が得られる。図１及び図２に示された紐靴１では、１０個の孔１９の全てにおいて、距離Ｘの全長Ｙに対する比率は１５％以下である。距離Ｘの全長Ｙに対する比率が１５％以下である孔１９は、以下、「低位置孔」と称される。
【００１６】
低位置孔１９の数は、２個以上が好ましい。低位置孔１９が上記範囲未満であると、十分なフィット感が得られないことがある。この観点から、低位置孔１９の数は４個以上がより好ましく、６個以上が特に好ましい。配設容易の観点から、低位置孔１９の数は１８個以下が好ましい。
【００１７】
図２において符号Ｌ１で示されているのは、前端Ｐからの長さ方向距離が全長Ｙの１５％である直線である。一方、符号Ｌ２で示されているのは、前端Ｐからの長さ方向距離が全長Ｙの６０％である直線である。直線Ｌ１と直線Ｌ２とに挟まれた領域は、前端Ｐからの長さ方向距離が全長Ｙの１５％以上６０％以下である領域である。フィット感の観点から、この領域に少なくとも１個の低位置孔１９が存在するのが好ましく、２個以上の低位置孔１９が存在するのがより好ましく、４個以上の低位置孔１９が存在するのが特に好ましい。配設容易の観点から、低位置孔１９の数は１２個以下が好ましい。
【００１８】
直線Ｌ１よりも前方の領域は、前端Ｐからの長さ方向距離が全長Ｙの１５％未満である領域である。フィット感の観点から、この領域に少なくとも１個の低位置孔１９が存在するのが好ましく、２個以上の低位置孔１９が存在するのがより好ましく、４個以上の低位置孔１９が存在するのが特に好ましい。配設容易の観点から、低位置孔１９の数は６個以下が好ましい。
【００１９】
フィット感の観点から、距離Ｘの全長Ｙに対する比率が１０％以下である低位置孔１９が特に好ましい。孔１９の配設容易の観点から、距離Ｘの全長Ｙに対する比率は５％以上が好ましい。
【００２０】
従来の靴に比べてベロ１５が幅広とされることにより、図３に示されるように、低位置孔１９の内側にまでベロ１５の端部が到達する。これにより、甲に紐５が直接接触することが防がれる。換言すれば、低位置孔１９の内側にまでその端部が到達するように、ベロ１５の幅が決定されるのが好ましい。
【００２１】
局部的な締め付けの観点から、紐５の太さ（紐５が扁平である場合は幅）は１０ｍｍ以下が好ましく、５ｍｍ以下が特に好ましい。通常の紐５の太さは、１ｍｍ以上である。
【００２２】
図４は、本発明の他の実施形態に係る紐靴２３の一部が示された断面図である。この紐靴２３は、図１に示された紐靴１と同様のアウトソール１１、ミッドソール９、インソール２１及びベロ１５を備えている。図示されていないが、この紐靴２３は図１に示された紐靴１と同様の紐５を備えている。この紐靴２３のフラップ２５は、掛止手段としてのフック２７を備えている。フック２７は通常金属からなり、ベース２９を備えている。このベース２９がフラップ２５に埋設されることにより、フック２７がフラップ２５に固定されている。フック２７には、紐５が掛止される。紐５が締められることにより、フック２７が上方へと引っ張られる。図４において両矢印Ｘで示されているのは、ミッドソール９のエッジライン（換言すれば、ソールのエッジライン）Ｅとフック２７の内面上端との距離である。距離Ｘは、湾曲するフラップ２５の外面に沿って測定される。
【００２３】
距離Ｘの全長Ｙに対する比率が１５％以下となる位置に設けられるフック２７の数は２個以上が好ましく、４個以上がより好ましく、６個以上が特に好ましい。配設容易の観点から、フック２７の数は１８個以下が好ましい。
【００２４】
前端Ｐ（図２参照）からの長さ方向距離が全長Ｙの１５％以上６０％以下である領域において、距離Ｘの全長Ｙに対する比率が１５％以下となる位置に設けられるフック２７の数は、１個以上が好ましく、２個以上がより好ましく、４個以上が特に好ましい。配設容易の観点から、この数は１２個以下が好ましい。
【００２５】
前端Ｐからの長さ方向距離が全長Ｙの１５％未満である領域において、距離Ｘの全長Ｙに対する比率が１５％以下となる位置に設けられるフック２７の数は、１個以上が好ましく、２個以上がより好ましく、４個以上が特に好ましい。配設容易の観点から、この数は６個以下が好ましい。
【００２６】
図５は、本発明のさらに他の実施形態に係る紐靴３１の一部が示された正面図である。この紐靴３１は、図１に示された紐靴１と同様のアウトソール１１、ミッドソール９及び紐５を備えている。図示されていないが、この紐靴３１は、図１に示された紐靴１と同様のインソール２１を備えている。この紐靴３１のフラップ３３は、掛止手段としてのリング３５を備えている。リング３５は通常、金属からなる。リング３５は「Ｄ」字状であり、袋状の布体３７によってフラップ３３に固定されている。リング３５には、紐５が通されている。紐５が締められることにより、リング３５が上方へと引っ張られる。図５において両矢印Ｘで示されているのは、ミッドソール９のエッジラインＥとリング３５の内面上端との距離である。距離Ｘは、湾曲するフラップ３３の外面に沿って測定される。
【００２７】
距離Ｘの全長Ｙに対する比率が１５％以下となる位置に設けられるリング３５の数は２個以上が好ましく、４個以上がより好ましく、６個以上が特に好ましい。配設成容易の観点から、リング３５の数は１８個以下が好ましい。
【００２８】
前端Ｐ（図２参照）からの長さ方向距離が全長Ｙの１５％以上６０％以下である領域において、距離Ｘの全長Ｙに対する比率が１５％以下となる位置に設けられるリング３５の数は、１個以上が好ましく、２個以上がより好ましく、４個以上が特に好ましい。配設容易の観点から、この数は１２個以下が好ましい。
【００２９】
前端Ｐからの長さ方向距離が全長Ｙの１５％未満である領域において、距離Ｘの全長Ｙに対する比率が１５％以下となる位置に設けられるリング３５の数は、１個以上が好ましく、２個以上がより好ましく、４個以上が特に好ましい。配設容易の観点から、この数は６個以下が好ましい。
【００３０】
図６は、本発明のさらに他の実施形態に係る紐靴３９が示された平面図である。この紐靴３９は、図１に示された紐靴１と同様の紐５及びベロ１５を備えている。図示されていないが、この紐靴３９は、図１に示された紐靴１と同様のアウトソール１１、ミッドソール９及びインソール２１を備えている。この紐靴３９は、４個のフック２７と８個の鳩目１７とを備えている。換言すれば、この紐靴３９は、１２個の掛止手段を備えている。前端Ｐからの長さ方向距離が全長Ｙの１５％未満である領域（直線Ｌ１よりも前の領域）には、２個の掛止手段が存在している。これらの掛止手段の距離Ｘは、全長Ｙの１５％以下である。前端Ｐからの長さ方向距離が全長Ｙの１５％以上６０％以下である領域（直線Ｌ１と直線Ｌ２とに挟まれた領域）には、１０個の掛止手段が存在している。これらのうち距離Ｘが全長Ｙの１５％以下である掛止手段は８個であり、距離Ｘが全長Ｙの１５％を超える掛止手段は２個である。この紐靴３９では、距離Ｘが全長Ｙの１５％以下である掛止手段により、フィット感が高められる。
【００３１】
図７は、本発明のさらに他の実施形態に係る紐靴４１が示された平面図である。この紐靴４１は、図１に示された紐靴１と同様の紐５及びベロ１５を備えている。図示されていないが、この紐靴４１は、図１に示された紐靴１と同様のアウトソール１１、ミッドソール９及びインソール２１を備えている。この紐靴４１は、１０個の掛止手段（具体的には孔１９）を備えている。前端Ｐからの長さ方向距離が全長Ｙの１５％未満である領域（直線Ｌ１よりも前の領域）には、掛止手段が存在していない。前端Ｐからの長さ方向距離が全長Ｙの１５％以上６０％以下である領域（直線Ｌ１と直線Ｌ２とに挟まれた領域）には、１０個の掛止手段が存在している。これらのうち距離Ｘが全長Ｙの１５％以下である掛止手段は２個であり、距離Ｘが全長Ｙの１５％を超える掛止手段は８個である。この紐靴４１では、距離Ｘが全長Ｙの１５％以下である掛止手段により、フィット感が高められる。
【００３２】
図８は、本発明のさらに他の実施形態に係る紐靴４３が示された平面図である。この紐靴４３は、図１に示された紐靴１と同様の紐５及びベロ１５を備えている。図示されていないが、この紐靴４３は、図１に示された紐靴１と同様のアウトソール１１、ミッドソール９及びインソール２１を備えている。この紐靴４３は、３個のフック２７と８個の鳩目１７とを備えている。換言すれば、この紐靴４３は、１１個の掛止手段を備えている。前端Ｐからの長さ方向距離が全長Ｙの１５％未満である領域（直線Ｌ１よりも前の領域）には、１個の掛止手段が存在している。この掛止手段の距離Ｘは、全長Ｙの１５％以下である。前端からの長さ方向距離が全長Ｙの１５％以上６０％以下である領域（直線Ｌ１と直線Ｌ２とに挟まれた領域）には、１０個の掛止手段が存在している。これらの掛止手段の距離Ｘは、全長Ｙの１５％を超えている。この紐靴４３では、距離Ｘが全長Ｙの１５％以下である掛止手段により、フィット感が高められる。
【００３３】
【実施例】
以下、実施例によって本発明の効果が明らかにされるが、この実施例の記載に基づいて本発明が限定的に解釈されるべきはない。
【００３４】
掛止手段の詳細が下記表１に示される、実施例１から４及び比較例１の紐靴を製作した。
【００３５】
【表１】
2004033578.tif 000003
【００３６】
［フィット感の評価］
１０名のテスターに紐靴を着用させて歩行させ、フィット感を「１」から「５」の５段階で評価させた。最もフィット感に優れるものを「５」とし、最もフィット感に劣るものを「１」とした。評価値の平均値が、下記の表２に示されている。
【００３７】
【表２】
2004033578.tif 000004
【００３８】
表２に示されるように、各実施例の紐靴は、比較例の紐靴よりもフィット感に優れる。この評価結果から、本発明の優位性は明らかである。
【００３９】
【発明の効果】
以上説明されたように、本発明の紐靴はフィット感に優れる。この紐靴の着用者は、運動しやすい。
【図面の簡単な説明】
【図１】図１は、本発明の一実施形態にかかる紐靴が示された正面図である。
【図２】図２は、図１の紐靴が示された平面図である。
【図３】図３は、図１のＩＩＩ−ＩＩＩ線に沿った断面の一部が示された拡大図である。
【図４】図４は、本発明の他の実施形態に係る紐靴の一部が示された断面図である。
【図５】図５は、本発明のさらに他の実施形態に係る紐靴の一部が示された正面図である。
【図６】図６は、本発明のさらに他の実施形態に係る紐靴が示された平面図である。
【図７】図７は、本発明のさらに他の実施形態に係る紐靴が示された平面図である。
【図８】図８は、本発明のさらに他の実施形態に係る紐靴が示された平面図である。
【図９】図９は、従来の紐靴が示された正面図である。
【図１０】図０は、図９の紐靴が示された平面図である。
【符号の説明】
１、２３、３１、３９、４１、４３・・・紐靴
３・・・アッパー
５・・・紐
７・・・ソール
９・・・ミッドソール
１１・・・アウトソール
１３、２５、３３・・・フラップ
１５・・・ベロ
１７・・・鳩目
１９・・・孔
２１・・・インソール
２７・・・フック
２９・・・ベース
３５・・・リング
３７・・・袋体
Ｅ・・・エッジライン
Ｐ・・・前端
【図１】
2004033578.tif 000005
【図２】
2004033578.tif 000006
【図３】
2004033578.tif 000007
【図４】
2004033578.tif 000008
【図５】
2004033578.tif 000009
【図６】
2004033578.tif 000010
【図７】
2004033578.tif 000011
【図８】
2004033578.tif 000012
【図９】
2004033578.tif 000013
【図１０】
2004033578.tif 000014